(57)【要約】【課題】本発明は、ディスプレイ部をタッチパネルとして便利に使用できる電子装置を提供することを目的とする。【解決手段】本発明に係る電子装置は、ベースと、ベースに対して回転可能なタブレットパソコンと、を備える。ベースはキーボードアセンブリ及び第一コネクタを備え、タブレットパソコンはディスプレイ部及び第二コネクタを備え、第一コネクタには、互いに対して平行し且つ同じタイプの信号ピンである第一組のベースピン及び第二組のベースピンが設置され、第二コネクタには一組の接続スロットが設置され、ディスプレイ部がベースに対面する際、第一組のベースピンは接続スロットに接続され、ディスプレイ部がベースに背面する際、第二組のベースピンは接続スロットに接続される。【選択図】図１
2014238840.tif 000002
【特許請求の範囲】
【請求項１】
ベースと、
前記ベースに対して回転可能なタブレットパソコンと、
を備える電子装置であって、
前記ベースはキーボードアセンブリ及び第一コネクタを備え、前記タブレットパソコンはディスプレイ部及び第二コネクタを備え、前記第一コネクタには、互いに対して平行し且つ同じタイプの信号ピンである第一組ベースピン及び第二組ベースピンが設置され、前記第二コネクタには一組の接続スロットが設置され、前記ディスプレイ部が前記ベースに対面する際、前記第一組ベースピンは前記接続スロットに接続され、前記ディスプレイ部が前記ベースに背面する際、前記第二組ベースピンは前記接続スロットに接続されることを特徴とする電子装置。
【請求項２】
前記ベースの一側には回転可能な回転部品が設置され、前記回転部品には係合スロットが設けられ、前記第一コネクタは前記係合スロットに収容され、前記タブレットパソコンは前記係合スロットに着脱可能に挿入されることを特徴とする請求項１に記載の電子装置。
【請求項３】
ベースと、
前記ベースに対して回転可能なタブレットパソコンと、
を備える電子装置であって、
前記ベースはキーボードアセンブリ及び第一コネクタを備え、前記タブレットパソコンはディスプレイ部と第二コネクタを備え、前記第二コネクタには、互いに対して平行し且つ同じタイプの信号スロットである第一組接続スロット及び第二組接続スロットが設置され、前記第一コネクタには一組のベースピンが設置され、前記ディスプレイ部が前記ベースに対面する際、前記第一組接続スロットは前記ベースピンに接続され、前記ディスプレイ部が前記ベースに背面する際、前記第二組接続スロットは前記ベースピンに接続されることを特徴とする電子装置。
【請求項４】
前記ベースの一側には回転可能な回転部品が設置され、前記回転部品には係合スロットが設けられ、前記第一コネクタは前記係合スロットに収容され、前記タブレットパソコンは前記係合スロットに着脱可能に挿入されることを特徴とする請求項３に記載の電子装置。
【発明の詳細な説明】
【技術分野】
【０００１】
本発明は、タッチパネルを有する電子装置に関するものである。
【背景技術】
【０００２】
従来の技術において、ノートパソコンのディスプレイ部は、キーボードアセンブリが設置されたベースに対して９０度以上回転すると、回転の間にノートパソコンの重心が移動するため電子装置は傾いてしまう。ディスプレイ部をタッチパネルとして使用する場合、ディスプレイ部をベースに対して９０度以上回転させなければ使用しにくい。しかし、ディスプレイ部をベースに対して９０度以上回転させると、電子装置が傾くため不便である。また、仮にディスプレイ部がベースに対して平行するように１８０度まで回転させても、ディスプレイ部がユーザと離れる側に位置し且つベースに邪魔されるため、使用に不便である。
【発明の概要】
【発明が解決しようとする課題】
【０００３】
本発明の目的は、前記問題を解決し、ディスプレイ部をタッチパネルとして便利に使用できる電子装置を提供することである。
【課題を解決するための手段】
【０００４】
上記目的を達成するために、本発明に係る電子装置は、ベース及びベースに対して回転可能なタブレットパソコンを備える。ベースはキーボードアセンブリ及び第一コネクタを備え、タブレットパソコンはディスプレイ部と第二コネクタを備え、第一コネクタには、互いに対して平行し且つ同じタイプの信号ピンである第一組ベースピン及び第二組ベースピンが設置され、第二コネクタには一組の接続スロットが設置され、ディスプレイ部がベースに対面する際、第一組ベースピンは接続スロットに接続され、ディスプレイ部がベースに背面する際、第二組ベースピンは接続スロットに接続される。
【発明の効果】
【０００５】
本発明に係る電子装置は、ディスプレイ部がベースに対面又は背面することができるので、ディスプレイ部がベースに背面した際、ベースはディスプレイ部の背面側に位置し且つディスプレイを支持する。これにより、ディスプレイ部が９０度以上回転しても電子装置は傾かないため、使用に便利である。
【図面の簡単な説明】
【０００６】
【図１】本発明の実施形態に係る電子装置の分解斜視図である。
【図２】図１に示す電子装置の第一コネクタの上面図である。
【図３】図１に示す電子装置の第二コネクタの上面図である。
【図４】図１に示す電子装置の組立斜視図であって、タブレットパソコンがベースに対して平行に位置し、且つタブレットパソコンの背面がキーボードアセンブリに当接する状態を示す図である。
【図５】図１に示す電子装置の組立斜視図であって、タブレットパソコンがベースに対して斜めに延伸し、タブレットパソコンの背面がキーボードアセンブリに面する状態を示す図である。
【発明を実施するための形態】
【０００７】
図１に示したように、本発明の実施形態に係る電子装置は、ベース２００と、ベース２００に対して回転可能なタブレットパソコン１００と、を備える。電子装置はノートパソコンであっても良い。
【０００８】
ベース２００は、本体２０３と、キーボードアセンブリ２０１と、回転部品２１０と、第一コネクタ２２０と、を備える。キーボードアセンブリ２０１は、本体２０３の上面の上に設置される。回転部品２１０は、本体２０３の一側に、本体２０３に対して１８０度まで回転可能に装着される。回転部品２１０には、係合スロット２１３が設けられている。第一コネクタ２２０は、係合スロット２１３に収容され、回転部品２１０を通じてキーボードアセンブリ２０１に電気的に接続される。
【０００９】
タブレットパソコン１００は、ディスプレイ部１０１及びディスプレイ部１０１の下部に設置される第二コネクタ１１０を備える。ディスプレイ部１０１はタッチパネルである。第二コネクタ１１０が第一コネクタ２２０に接続されることによって、タブレットパソコン１００は、ベース２００に電気的に接続される。
【００１０】
図２に示したように、第一コネクタ２２０は、第一組ベースピン２２１及び第二組ベースピン２２４を備える。第一組ベースピン２２１、及び第二組ベースピン２２４はそれぞれ２０個のベースピンを有する。第一組のベースピン２２１のベースピンのそれぞれは、第二組のベースピン２２４のベースピンのそれぞれに対応する。即ち第一組ベースピン２２１の１から２０までのそれぞれのベースピンは、第二組ベースピン２２４の２１から４０までのそれぞれのベースピンと対応する。第一組ベースピンのベースピンと、第二組ベースピンのベースピンとは同じタイプの信号ピンである。第一組ベースピン２２１と第二組ベースピン２２４とは、それぞれ一直線に配列され且つ互いに対して平行であるが、第一組ベースピン２２１のピンの配列は第二組ベースピン２２４のピンの配列と逆である。即ち、第一組ベースピン２２１の１から２０までのベースピンは順に、第二組ベースピン２２４の４０から２１までのベースピンとそれぞれ対向する。
【００１１】
図３に示したように、第二コネクタ１１０は、第一組接続スロット１１１及び第二組接続スロット１１４を備える。第一組接続スロット１１１、及び第二組接続スロット１１４はそれぞれ２０個のスロットを備える。第一組接続スロット１１１のスロットのそれぞれは、第二組接続スロット１１４のスロットのそれぞれに対応する。即ち第一組接続スロット１１１の１′から２０′までのそれぞれのスロットは、第二組接続スロット１１４の２１′から４０′までのそれぞれのスロットに対応する。第一組接続スロットのスロットと、第二組接続スロットのスロットとは、同じタイプの信号スロットである。第一組の接続スロット１１１と第二組の接続スロット１１４とは、それぞれ一直線に配列され且つ互いに対して平行であるが、第一組接続スロット１１１のスロットの配列は、第二組接続スロット１１４のスロットの配列と逆である。即ち、第一組接続スロット１１１の１′から２０′までのスロットは順に、第二組接続スロット１１４の４０′から２１′までのスロットとそれぞれ対向する。
【００１２】
本実施形態に係る電子装置を使用する際、第二コネクタ１１０は第一コネクタ２２０に接続される。
【００１３】
第二コネクタ１１０は、以下の三つの方式によって第二コネクタ２２０に接続できる。第一の方式において、第二コネクタ１１０の接続スロット及び第一コネクタ２２０のベースピンは互いに全て導通される。第二コネクタ１１０の第一組接続スロット１１１と、第二組接続スロット１１４とは並列接続され、第一コネクタ２２０の第一組ベースピン２２１と、第二組ベースピン２２４とは並列接続される。第二コネクタ１１０が第一コネクタ２２０に接続される際、第二コネクタのそれぞれのスロットは、上記のように、対応する第二コネクタのそれぞれのベースピンに接続されて信号を伝送する。第二の方式において、第一組ベースピン２２１及び第二組ベースピン２２４は導通されるが、第一組接続スロット１１１と第二組接続スロット１１４のうちのいずれか一組は導通されない。第二コネクタ１１０が第一コネクタ２２０に接続される際、第一組接続スロット１１１と第二組接続スロット１１４のうちのいずれかの導通されたスロットのみが信号を伝送する。第三の方式において、第一組ベースピン２２１と第二組ベースピン２２４のうちのいずれか一組は導通されないが、第一組接続スロット１１１及び第二組接続スロット１１４は導通される。第二コネクタ１１０が第一コネクタ２２０に接続される際、第一組ベースピン２２１と第二組ベースピン２２４のうちのいずれかの導通されたベースピンに接続されたスロットのみが信号を伝送する。
【００１４】
以上三つの方式のうちのいずれの方式においても、ディスプレイ部１０１がベース２００に対面又は背面できるよう、タブレットパソコン１００を係合スロット２１３に着脱可能に挿入できる。第一の方式の場合、ディスプレイ部１０１がベース２００に対面するとき、第一組ベースピン２２１は第一組接続スロット１１１に電気的に接続され、第二組ベースピン２２４は第二組接続スロット１１４に電気的に接続される。ディスプレイ部１０１がベース２００に背面するとき、第一組ベースピン２２１は第二組接続スロット１１４に電気的に接続され、第二組ベースピン２２４は第一組接続スロット１１１に電気的に接続される。第二の方式の場合、ディスプレイ部１０１がベース２００に対面するとき、第一組ベースピン２２１は導通されたいずれか一組の接続スロットに電気的に接続される。ディスプレイ部１０１がベース２００に背面するとき、第二組ベースピン２２４は導通されたいずれか一組の接続スロットに電気的に接続される。第三の方式の場合、ディスプレイ部１０１がベース２００に対面するとき、第一組接続スロット１１１は導通されたいずれか一組のベースピンに電気的に接続され、ディスプレイ部１０１がベース２００に背面するとき、第二組接続スロット１１４は導通されたいずれか一組のベースピンに電気的に接続される。他の実施形態において、ベースピン及び接続スロットの配置の方法及び接続の方法を変更してもよい。
【００１５】
図４は、ディスプレイ部１０１がベース２００に背面し且つベース２００に対して平行するようにベース２００の上面に設置されるように、タブレットパソコン１００が係合スロット２１３に挿入された状態を示している。このとき、回転部品２１０をユーザに隣接させて、タブレットパソコン１００を使用することが可能である。
【００１６】
図５は、タブレットパソコン１００をユーザが更に見やすいような角度まで回転させた状態を示している。このとき、ベース２００は、タブレットパソコン１００のディスプレイ部１０１の背面側に位置して、タブレットパソコン１００を支持する。
【符号の説明】
【００１７】
１００  タブレットパソコン
１０１  ディスプレイ部
１１０  第二コネクタ
１１１  第一組接続スロット
１１４  第二組接続スロット
２００  ベース
２０１  キーボードアセンブリ
２０３  本体
２１０  回転部品
２１３  係合スロット
２２０  第一コネクタ
２２１  第一組ベースピン
２２４  第二組ベースピン
１〜４０  ベースピン
１′〜４０′  スロット
【図１】
2014238840.tif 000003
【図２】
2014238840.tif 000004
【図３】
2014238840.tif 000005
【図４】
2014238840.tif 000006
【図５】
2014238840.tif 000007